(57)【要約】【課題】従来、カメラ付ドアホン部を収納したハウジングを玄関先の壁に取り付け、ハウジングの前面上部の表札部を、その上方に設けた白熱電球などの光源によって照明する。また、太陽電池と鍵穴を囲む鍵穴照明筒などをセットにした鍵穴照明具を、鍵穴を囲むようにドアの前面に取り付け、鍵穴照明筒の先端の発光部によって鍵穴近傍を照明するものがある。本発明はこれとは異なり、ドアホン子機を玄関先に取り付ける場合、ドアホン子機を収納したハウジング内に収納したＬＥＤによって、玄関先の足元を照明するようにするものである。【解決手段】ドアホン親機と電気的に接続されたドアホン子機を玄関先に取り付ける場合、ドアホン子機内に収納したＬＥＤによって、玄関先の足元を照明するようにして、利便性を向上させること。【選択図】図１
2009284048.tif 000002
【特許請求の範囲】
【請求項１】
呼び出し用押しボタン操作によって作動するチャイム等の発音要素やカメラ、更にこれ
らに係る電気部品を取り付けた回路基板等を備えたドアホン子機が、玄関ドアに隣接して
玄関先に直接又はハウジング内に収納されて取り付けられるものにおいて、前記玄関先の
足元を照明するＬＥＤを装着したことを特徴とするドアホン子機装置。
【発明の詳細な説明】
【技術分野】
【０００１】
本発明は、ドアホン親機と電気的に接続されたドアホン子機を玄関先に取り付けるドア
ホン子機装置に関し、特に、集合住宅用として適するドアホン子機装置に関する。
【背景技術】
【０００２】
カメラ付ドアホン部が、直接又はハウジングに収納されて住戸の玄関先の壁などの取り
付け面に取り付けるものがある。そして、ハウジングに収納される場合、その前面上部の
表札部を、その上方に設けた白熱電球などの光源によって照明する。（特許文献１参照）
。
【０００３】
また、太陽電池と鍵穴を囲む鍵穴照明筒などをセットにした鍵穴照明具を、鍵穴を囲む
ようにドアの前面に取り付け、鍵穴照明筒の先端の発光部によって、鍵穴近傍を照明する
ことにより、夜間でも鍵穴への鍵の差し込みを容易にしたものがある。（特許文献２参照
）。
【特許文献１】特開平１０−２４０１３７号公報
【特許文献２】特開平５−７９２５８号公報
【発明の開示】
【発明が解決しようとする課題】
【０００４】
上記の特許文献１のものは、ハウジングの前面上部の表札部の照明に適するが、玄関ド
アの鍵穴の照明や、玄関先の足元の照明は行っていない。また、特許文献２のものは、玄
関ドアの鍵穴近傍の照明に適するが、鍵穴照明具を鍵穴を囲むようにドアの前面に取り付
ける必要があり、また玄関先の足元の照明は行っていない。
【０００５】
また、住戸の暗い玄関先を照らす場合、カメラ付ドアホン部とは別個に、玄関ドアの上
方の壁面などの取り付け部に玄関照明灯を取り付けることは周知である。
【０００６】
本発明は、このような点に鑑み、ドアホン親機と電気的に接続されたドアホン子機を玄
関先に取り付ける場合、ドアホン子機内に収納したＬＥＤによって、玄関先の足元を照明
するようにして、利便性を向上させるものである。
【課題を解決するための手段】
【０００７】
本発明のドアホン子機装置は、呼び出し用押しボタン操作によって作動するチャイム等
の発音要素やカメラ、更にこれらに係る電気部品を取り付けた回路基板等を備えたドアホ
ン子機が、玄関ドアに隣接して玄関先に直接又はハウジング内に収納されて取り付けられ
るものにおいて、前記回路基板に、前記玄関先の足元を照明するＬＥＤを装着したことを
特徴とする。
【発明の効果】
【０００８】
本発明では、ドアホン子機又はドアホン子機を収納したドアホン子機装置を玄関先に取
り付けることによって、その中に配置したＬＥＤによって、玄関先の足元を照明できるた
め、ドアホン子機とは別個に玄関灯がなくても夜間での玄関先を照明でき、玄関先の美観
もよい状態となる。このため、本発明のドアホン子機装置は、集合住宅のように統一した
デザインのものを多数採用するものとして、好ましいものとなる。
【発明を実施するための最良の形態】
【０００９】
本発明のドアホン子機装置は、呼び出し用押しボタン操作によって作動するチャイム等
の発音要素やカメラ、更にこれらに係る電気部品を取り付けた回路基板等を備えたドアホ
ン子機が、玄関ドアに隣接して玄関先の取り付け部に直接又はハウジング内に収納されて
取り付けられ、前記玄関先の足元を照明するＬＥＤが、前記回路基板または別個の回路基
板に取り付けられて前記ハウジング内から発光するものであり、以下に、本発明の実施例
を記載する。
【実施例１】
【００１０】
本発明に係るドアホン子機装置の実施形態について説明する。図１は本発明に係るドア
ホン子機装置の正面斜視図、図２は本発明に係るドアホン子機装置のハウジングとドアホ
ン子機とを分解した正面斜視図、図３は本発明に係るドアホン子機装置を取り付け部に取
り付けた状態を示す中央部縦断側面図、図４は本発明に係るドアホン子機装置内の照明用
ＬＥＤを回路基板に取り付けた状態の斜視図、図５は本発明に係るドアホン子機装置を取
り付けた玄関先の斜視図である。
【００１１】
本発明に係るドアホン子機装置の実施例を図に基づき説明する。１はドアホン子機装置
であり、ＡＢＳ等の合成樹脂製ハウジング３内にドアホン子機２を収納した形態である。
ドアホン子機装置１は、集合住宅や戸建て住宅等の家屋の玄関ドア３１に隣接して玄関先
の取り付け部３０に取り付けられ、通常の取り付け状況は、玄関ドア３１のドア開閉用の
取っ手３２の近傍に取り付けられている。ドアホン子機２は、呼び出し用押しボタン７の
操作によって作動するチャイム等の発音要素４やＣＣＤカメラ５、更にこれらに係る電気
部品を取り付けプリント配線を有する回路基板８等を備えている。具体的には、ドアホン
子機装置１は、家屋内に設置したドアホン親機（図示せず）と電気的に接続されていて、
合成樹脂製ケース６に主要部として、発音要素４と、レンズ５Ａを前面に向けた状態のカ
メラ５を収納し、更にこれらに係る電気部品を取り付けた回路基板８等を収納した形態で
ある。
【００１２】
発音要素４は、前記ドアホン親機（図示せず）を通して伝えられる音声を発するスピー
カ（図示せず）や、合成樹脂製ケース６の前面に露出した呼び出し用押しボタン７の操作
によって押しボタンスイッチ７Ａが作動しチャイム等の報知音等を発する部分や、前記ド
アホン親機との会話用のマイクロフォン２０等を含む。合成樹脂製ケース６は、後面開口
の表側ケース６Ａと前面開口の裏側ケース６Ｂとが、これら開口同士が組み合わさって中
空ケースを形成しており、この中空ケース内に発音要素４、カメラ５、回路基板８等が収
納された構成である。
【００１３】
ハウジング３は、縦長矩形状をなす合成樹脂製であり、前面板３Ａとこの前面板３Ａの
上下及び左右の周縁から後方へ延びて上下及び左右を巡る周囲壁３Ｂを形成し、周囲壁３
Ｂの上下及び左右の後端面３Ｂ１が略同一平面上に存在するように略同一面を形成する。
２１はドアホン子機２への水滴除け廂である。
【００１４】
ハウジング３は、周囲壁３Ｂで囲まれた裏面が開放された形態であり、周囲壁３Ｂで囲
まれた前面板３Ａの裏側下部位置にドアホン子機２が収納され、ハウジング３の前面には
、発音要素４のスピーカに対応したスピーカ用窓９と、カメラ５のレンズ部５Ａが臨むカ
メラ用窓１０と、マイクロフォン２０に対応して通話用窓１９が形成され、スピーカ用窓
９の横には押しボタン７の操作用窓１１が形成されている。カメラ用窓１０には、カメラ
５のレンズ部５Ａを保護するための透明保護板１６が取り付けられている。
【００１５】
ハウジング３の前面上部には、カメラ用窓１０の上方に四角形状の表札１２の取り付け
部１３が形成され、この表札取り付け部１３の裏側に形成した固定用突起１５Ａ、１５Ｂ
を、ネジ１７、１８にて取り付け部３０（建物等の平坦な縦壁や、建物等の壁に固定した
前面が平坦な取り付け板等）に固定した後、表札１２を取り付け部１３に接着等にて取り
付ける。
【００１６】
玄関ドア３１は、ドア開閉用の取っ手３２の部分にはベース板３８が装着されており、
このベース板３８に玄関ドア３１の施錠用鍵穴３３が形成されている。ドアホン子機装置
１は、上記のように、家屋の玄関ドア３１に隣接して玄関先の取り付け部３０に取り付け
られるが、本発明の目的達成のために、鍵穴３３及び玄関先の足元を照明する照明用光源
３４をハウジング３内に備えている。
【００１７】
照明用光源３４は、図１及び図４に示すように、ドアホン子機２に備えた回路基板８ま
たはドアホン子機２に備えた別個の照明部用回路基板ＰＢに、鍵穴３３を照明するＬＥＤ
３４Ａ及び玄関先の足元を照明するＬＥＤ３４Ｂが取り付けられている。照明部用回路基
板ＰＢとは、ＬＥＤ３４Ａ及びＬＥＤ３４Ｂの取り付け用として設けたものである。鍵穴
３３を照明するＬＥＤ３４Ａは、１個で十分な照度が得られればよいが、照度不足の場合
は、図示のように２個、３個のように複数個で構成する。また、玄関先の足元を照明する
ＬＥＤ３４Ｂは、十分な照度が得られれば１個でもよいが、玄関先の足元照明としては広
範囲に照明した方が好ましいので、図示のように２個、３個、４個のように複数個を横一
列に配列するか、または横複数列に各列複数個を配列して、玄関先の足元をある程度の幅
でもって横方向に長く照明するように構成することができる。
【００１８】
鍵穴３３を照明するＬＥＤ３４Ａ及び玄関先の足元を照明するＬＥＤ３４Ｂに対応して
、これらＬＥＤの光を透過するために、ケース６は、その側壁と底壁に切り欠きまたは貫
通孔にて光透過窓３５Ａ、３５Ｂが形成されている。また、鍵穴３３を照明するＬＥＤ３
４Ａ及び玄関先の足元を照明するＬＥＤ３４Ｂに対応して、これらＬＥＤの光を透過する
ために、ハウジング３は、その周囲壁３Ｂのうちの側壁と底壁に切り欠きまたは貫通孔に
て光透過窓３６Ａ、３６Ｂが形成されている。
【００１９】
鍵穴３３を照明するＬＥＤ３４Ａ及び玄関先の足元を照明するＬＥＤ３４Ｂは、玄関先
の明るさを検知するセンサをドアホン子機装置１に設け、ドアホン子機装置１の周辺の明
るさがある程度暗くなったとき、それをこのセンサが検知してスイッチＯＮして発光（点
灯）し、またドアホン子機装置１の周辺の明るさがある程度明るくなったとき、それをこ
のセンサが検知してスイッチＯＦＦして発光が停止（消灯）するように構成すれば、自動
発光（点灯）自動不発光（消灯）の制御ができる。
【００２０】
このような構成によって、鍵穴３３はＬＥＤ３４Ａの光が、光透過窓３５Ａ、３６Ａを
通過して照明され、また、玄関先の足元はＬＥＤ３４Ｂの光が、光透過窓３５Ｂ、３６Ｂ
を通過して照明される。玄関先の足元照明によって、夜間等に帰宅したときの雰囲気を和
らげ、また、鍵穴３３の照明によって、鍵の差し込みがし易くなる。これは、ドアホン子
機装置１をドア開閉用の取っ手３２の近傍に取り付けることによって容易に達成できる。
このため、鍵穴３３へのＬＥＤ３４Ａの光透過窓３５Ａ、３６Ａを比較的大きくしておけ
ば、取り付けに融通性を持たせることができる。
【００２１】
上記実施例では、ハウジング３の底壁に切り欠きや貫通孔を設け、ＬＥＤ３４Ａ、３４
Ｂの放射光を鍵穴３３や玄関先の足元に放射する様に構成しているが、ハウジング３の底
壁に透明なアクリル樹脂等のランプカバーを装着し、このランプカバーを通して照明する
様に構成しても良く、この場合、切り欠きや貫通孔からハウジング３内への塵や埃等の侵
入を防止できるものである。
【００２２】
このように、鍵穴３３の照明及び玄関先の足元照明は、ドアホン子機装置１に収納した
ＬＥＤ３４Ａ及びＬＥＤ３４Ｂによって行なうため、前記従来技術のように、ドアホン子
機装置１とは別個に設けた光源によって鍵穴を照明するものに比して、本発明では、ドア
ホン子機装置１の取り付けによって鍵穴３３と玄関先の足元照明が達成できるため、鍵穴
３３と玄関先の足元照明のＬＥＤの取り付けやそれに係る配線がし易く、コストダウン効
果も大きい。このため、集合住宅のように統一的なデザイン（設計）によって多数のドア
ホン子機装置１を取り付ける場合に好適である。
【００２３】
なお、押しボタン７の操作用窓１１を後方から照明して、夜間でも押しボタン７の操作
がし易くなるようにするようにすれば、更に照明効果が向上する。この場合、ＬＥＤ３４
Ｂの光の一部によって操作用窓１１を後方から照明する方式と、ＬＥＤ３４Ａ及ＬＥＤ３
４Ｂの他のＬＥＤを回路基板８または別個の照明部用回路基板ＰＢに設けて、操作用窓１
１を後方から照明する方式がある。
【産業上の利用可能性】
【００２４】
本発明のドアホン子機装置は、上記実施例に示した構成に限定されず、種々の形態のも
のに適用できるものであり、本発明の技術範囲において種々の形態を包含するものである
。
【図面の簡単な説明】
【００２５】
【図１】本発明に係るドアホン子機装置の正面斜視図である。
【図２】本発明に係るドアホン子機装置のハウジングとドアホン子機とを分解した正面斜視図である。
【図３】本発明に係るドアホン子機装置を取り付け部に取り付けた状態を示す中央部縦断側面図である。
【図４】本発明に係るドアホン子機装置内の照明用ＬＥＤを回路基板に取り付けた状態の斜視図である。
【図５】本発明に係るドアホン子機装置を取り付けた玄関先の斜視図である。
【符号の説明】
【００２６】
１・・・・ドアホン子機装置
２・・・・ドアホン子機
３・・・・ハウジング
３Ｂ・・・周囲壁
４・・・・発音要素
５・・・・カメラ
６・・・・合成樹脂製ケース
７・・・・押しボタン
８・・・・回路基板
９・・・・スピーカ用窓
１０・・・カメラ用窓
１１・・・押しボタン７の操作用窓
１２・・・表札
２０・・・マイクロフォン
３１・・・玄関ドア
３２・・・ドア開閉用取っ手
３３・・・玄関ドア３１の施錠用鍵穴
３４・・・照明用光源
３４Ａ・・鍵穴を照明するＬＥＤ
３４Ｂ・・玄関先の足元を照明するＬＥＤ
【図１】
2009284048.tif 000003
【図２】
2009284048.tif 000004
【図３】
2009284048.tif 000005
【図４】
2009284048.tif 000006
【図５】
2009284048.tif 000007